(57)【要約】【課題】搬送路を幅方向に開放でき、記録媒体の両側を確実にガイドできる媒体ガイド機構を提案すること。【解決手段】プリンター３では、プリンター本体ケース１１のケース側面部分１４に形成した側面開口部１５が開閉式のカバー１６の側板部分１８によって封鎖されている。側板部分１８の内側には、内部の用紙搬送路１９の幅方向の一方の側端を規定する第１用紙ガイド２１が取り付けられている。第１用紙ガイド２１と、他方の第２あるいは第３用紙ガイド２２、２３によってラベル用紙１０の幅方向の両側端の位置が規制され、斜行、蛇行などが発生せずにラベル用紙１０がガイドされる。カバー１６を開けると第１媒体ガイド２１も一緒に開き、用紙搬送路１９の一方の側端が完全な開放状態になり、側面開口部１５から用紙搬送路１９にアクセスして、ラベル用紙セット作業などを障害物なく極めて簡単に行うことができる。【選択図】図３
2011195203.tif 000002
【特許請求の範囲】
【請求項１】
本体ケースと、
前記本体ケースの内部に形成された記録媒体搬送用の搬送路と、
前記搬送路における幅方向の一方の側端に面している前記本体ケースのケース側面部分に形成した側面開口部と、
前記側面開口部を開閉可能に封鎖しており、封鎖状態においては前記搬送路における前記幅方向の一方の側端を規定する開閉式の第１媒体ガイドと、
前記搬送路における前記幅方向の他方の側端を規定している第２媒体ガイドとを有していることを特徴とする媒体ガイド機構。
【請求項２】
請求項１において、
前記本体ケースにおける前記搬送路の上方を覆っているケース上面部分には上面開口部が形成されており、
前記本体ケースには、前記側面開口部および前記上面開口部を封鎖する開閉式のカバーが取り付けられており、
前記カバーにおける前記側面開口部を開閉するカバー側面部分に、前記第１媒体ガイドが配置されていることを特徴とする媒体ガイド機構。
【請求項３】
請求項２において、
前記第２媒体ガイドは、前記搬送路の底面側に取り付けた下側ガイドと、当該下側ガイドの媒体ガイド面と同一面上に位置する媒体ガイド面を備えた上側ガイドとを備えており、
前記上側ガイドは上方に付勢されており、
前記カバーが閉じた状態では、前記カバー上面部分によって前記上側ガイドは前記下側ガイドの側に押し込まれており、前記カバーを開くと、前記上側ガイドは前記下側ガイドから上方に押し出された位置に移動することを特徴とする媒体ガイド機構。
【請求項４】
請求項２または３において、
前記搬送路における記録媒体搬送方向の上流側および下流側には、それぞれ上流側ガイドローラーおよび下流側ガイドローラーが配置されており、
前記搬送路の上側部分は、前記上流側ガイドローラーおよび前記下流側ガイドローラーの間に架け渡される記録媒体の弛み部分を溜めるための媒体溜め部となっており、
前記カバーを開けると、前記媒体溜め部が開放状態になることを特徴とする媒体ガイド機構。
【請求項５】
請求項１ないし４のうちのいずれかの項において、
前記第１媒体ガイドに対して前記第２媒体ガイドよりも離れた位置に配置されている第３媒体ガイドを有し、
前記第２媒体ガイドは前記搬送路の底面側に着脱可能に取り付けた着脱式の媒体ガイドであることを特徴とする媒体ガイド機構。
【請求項６】
請求項１ないし５のうちのいずれかの項に記載の媒体ガイド機構を備えていることを特徴とするプリンター。
【発明の詳細な説明】
【技術分野】
【０００１】
本発明は、プリンターなどの媒体処理装置において長尺状の記録媒体を斜行、蛇行させることなく搬送路に沿ってガイドするための媒体ガイド機構に関する。
【背景技術】
【０００２】
ロール紙から繰り出される長尺の記録紙を印刷ヘッドの印刷位置にガイドして印刷を行うプリンターにおいては、斜行、蛇行などが発生しないように、搬送路の両側に配置したガイドによって精度良く記録紙を案内する必要がある。特許文献１に開示のガイド機構付き印刷装置では、ロール紙の供給部から印刷位置までの間において、間隔調整可能な左右のガイドを配置して搬送路の両側端を規定することにより、長尺の記録紙の斜行、蛇行を防止するようにしている。
【０００３】
一般、記録紙の搬送路は装置ケースによって覆われており、その一部に開閉式のカバーが取り付けられる。これにより、搬送路に沿って長尺の記録紙をセットする場合、搬送路に紙詰まりが発生した場合などに、カバーを開けて搬送路を開放状態にできるようになっている。
【先行技術文献】
【特許文献】
【０００４】
【特許文献１】特開２００３−０４０５０２号公報
【発明の概要】
【発明が解決しようとする課題】
【０００５】
ここで、ロール紙などから繰り出される長尺の記録紙を装置ケース内の搬送路に沿ってセットする場合、搬送路に詰まった記録紙を取り除く場合などにおいては、搬送路の幅方向の側を開放状態にできれば、このような作業が一層容易になる。しかし、装置ケースにおける搬送路の幅方向の側を開閉できるようにしても、搬送路には、その側端を規定しているガイドが配置されているので、搬送路を幅方向の側から開放状態にすることができない。搬送路の一部において側端のガイドを省略し、カバーを開けると搬送路を側方から開放状態にできるようにすると、ガイドの無い部分において記録紙の斜行、蛇行が発生し、紙詰まりが発生しやすくなるので好ましくない。
【０００６】
本発明の課題は、このような点に鑑みて、長尺の記録媒体を搬送する搬送路をその幅方向から開放状態にできると共に、斜行、蛇行などが発生しないように記録媒体の両側端を確実にガイドすることのできる媒体ガイド機構およびプリンターを提案することにある。
【課題を解決するための手段】
【０００７】
上記の課題を解決するために、本発明の媒体ガイド機構は、
本体ケースと、
前記本体ケースの内部に形成された記録媒体搬送用の搬送路と、
前記搬送路における幅方向の一方の側端に面している前記本体ケースのケース側面部分に形成した側面開口部と、
前記側面開口部を開閉可能に封鎖しており、封鎖状態においては前記搬送路における前記幅方向の一方の側端を規定する開閉式の第１媒体ガイドと、
前記搬送路における前記幅方向の他方の側端を規定している第２媒体ガイドとを有していることを特徴としている。
【０００８】
本発明では、本体ケースのケース側面部分に形成した側面開口部が、搬送路の幅方向の一方の側端を規定する開閉式の第１媒体ガイドによって封鎖されている。したがって、搬送路に沿って搬送される記録媒体は、その幅方向の両側端の位置が第１媒体ガイドおよび第２媒体ガイドによって規制されるので、斜行、蛇行などが発生せずにガイドされる。第１媒体ガイドを開けると側面開口部が開口し、同時に、搬送路の一方の側端を規定している第１媒体ガイドが搬送路から退避するので、搬送路の第１媒体ガイドの側の側端が完全な開放状態になる。したがって、側面開口部から搬送路にアクセスして、記録媒体のセット作業、搬送路に詰まった記録媒体の除去作業などを障害物なく極めて簡単に行うことができる。
【０００９】
ここで、搬送路を幅方向に開放すると共に、上方にも開放できるようにすれば、搬送路に沿って長尺の記録紙をセットする作業などを一層簡単に行うことができる。このためには、前記本体ケースにおける前記搬送路の上方を覆っているケース上面部分に上面開口部を形成し、前記本体ケースには、前記側面開口部および前記上面開口部を封鎖する開閉式のカバーを取り付け、前記カバーにおける前記側面開口部を開閉するカバー側面部分に前記第１媒体ガイドを形成しておけばよい。
【００１０】
また、上方に開放した状態の搬送路に記録媒体をセットする場合には、搬送路の上方への規制がないので、記録媒体が搬送路の底面から上方に浮き上がり易い。記録媒体の余長、弛みが多い場合などにおいては記録媒体が搬送路の底面から大きく浮き上がり、搬送路の幅方向の側端を規定している第２媒体ガイドから上方に外れてしまい、記録媒体のセット作業に手間取ることがある。また、記録媒体が搬送路の底面から大きく浮き上がって第２媒体ガイドから外れた状態でカバーが閉じられ、この状態で記録媒体の搬送が開始されると、記録媒体における第２媒体ガイドの側の側端が規制されないので、記録媒体が斜行しやすい。
【００１１】
本発明では、前記第２媒体ガイドは、前記搬送路の底面側に取り付けた下側ガイドと、当該下側ガイドの媒体ガイド面と同一面上に位置する媒体ガイド面を備えた上側ガイドとを備えており、前記上側ガイドは上方に付勢されており、前記カバーが閉じた状態では、前記カバー上面部分によって前記上側ガイドは前記下側ガイドの側に押し込まれており、前記カバーを開くと、前記上側ガイドは前記下側カイドから上方に押し上げられた位置に移動するようになっている。したがって、搬送路の上方が開放した状態においては、第２媒体ガイドの高さ寸法が増加するので、記録媒体のセット作業などが容易になる。
【００１２】
ここで、大型のロール紙から長尺の記録媒体を引き出して印刷位置などに向けてガイドするための媒体ガイド機構においては、ロール紙から引き出された記録媒体の張力変動を抑制するためにテンションローラーに記録媒体を架け渡すようにしている。テンションローラーの移動、ロール紙の慣性などによって、テンションローラーとロール紙の間の記録媒体には弛みができる。また、記録媒体を逆送りした場合には、大きな弛みが記録媒体の途中の部分に形成される。したがって、搬送路には、このような記録媒体の弛み部分を溜めるための媒体溜め部が設けられることがある。本発明の媒体ガイド機構は、このような媒体弛み部を備えた搬送路のガイド機構として用いることができる。
【００１３】
この場合における本発明の媒体ガイド機構は、前記搬送路における記録媒体搬送方向の上流側および下流側には、それぞれ上流側ガイドローラーおよび下流側ガイドローラーが配置されており、前記搬送路の上側部分は、前記上流側ガイドローラーおよび前記下流側ガイドローラーの間に架け渡される記録媒体の弛み部分を溜めるための媒体溜まり部となっており、前記カバーを開けると、前記媒体溜まり部が開放状態になることを特徴としている。
【００１４】
次に、記録媒体として幅の異なるものをガイドできるようにするために、本発明においては、前記第１媒体ガイドに対して前記第２媒体ガイドよりも離れた位置に配置されている第３媒体ガイドを有し、前記第２媒体ガイドが前記搬送路の底面側に着脱可能に取り付けた着脱式の媒体ガイドとなっている。第２媒体ガイドを取り外すと、第１媒体ガイドおよび第３媒体ガイドによって規定される広幅の記録媒体をガイドでき、第２媒体ガイドを取り付けると、狭い幅の記録媒体をガイドできる。
【００１５】
一方、本発明のプリンターは上記構成の媒体ガイド機構を備えていることを特徴としている。記録媒体を、第１媒体ガイド、第２媒体ガイドによって斜行、蛇行することなく印刷位置に搬送することができるので、記録媒体の搬送不良に起因する印刷品質の低下を防止できる。また、記録媒体のセット作業、紙詰まりの回復作業などを、搬送路の側方、あるいは、側方および上方の双方を開放した状態で行うことができるので、このような作業が簡単になる。
【発明の効果】
【００１６】
本発明では、本体ケースのケース側面部分に形成した側面開口部が、搬送路の幅方向の一方の側端を規定する開閉式の第１媒体ガイドによって封鎖されている。搬送路に沿って搬送される記録媒体は、その幅方向の両側端の位置が第１媒体ガイドおよび第２媒体ガイドによって規制されるので、斜行、蛇行などが発生せずにガイドされる。第１媒体ガイドを開けると側面開口部が開口し、搬送路の第１媒体ガイドの側の側端が完全な開放状態になる。したがって、側面開口部から搬送路にアクセスして、記録媒体のセット作業、搬送路に詰まった記録媒体の除去作業などを障害物なく極めて簡単に行うことができる。
【図面の簡単な説明】
【００１７】
【図１】本発明を適用したプリンターシステムの概略構成図である。
【図２】プリンターを示す斜視図である。
【図３】カバーを開けた状態のプリンターを示す斜視図である。
【図４】カバーを開けた状態のプリンターの内部機構を示す斜視図である。
【図５】プリンターの内部構造を示す説明図である。
【図６】カバーを開けた状態のプリンターの内部構造を示す説明図である。
【図７】プリンターの用紙搬送路、用紙溜まり部の横断面を示す説明図である。
【発明を実施するための形態】
【００１８】
以下に、図面を参照して本発明を適用した媒体ガイド機構を備えたプリンターシステムの実施の形態を説明する。
【００１９】
（プリンターシステム）
図１は本実施の形態に係るプリンターシステムを示す概略構成図である。プリンターシステム１は給紙装置２とプリンター３を備えている。給紙装置２は、プリンター３に着脱可能に接続されるベース板４と、このベース板４に取り付けられている垂直支持板５と、垂直支持板５の上端側の部位に水平に取り付けられているロール紙支軸６を備えている。ロール紙支軸６には、その先端側からロール紙７が装着される。ロール紙支軸６の先端部には、それに直交する方向にロール紙抜け止め用の抜け防止軸８が取り付けられている。また、ロール紙支軸６の根元側にはロール紙幅調整用の円盤状のスペーサー９が着脱可能に取り付けられており、幅の異なるロール紙を、図１において手前側の側端を基準として装着可能となっている。
【００２０】
ロール紙７は、例えば、空港などにおいて使用されるバゲッジタグ用のラベル用紙であり、一定幅の連続台紙に、その長さ方向に一定長さのラベルが貼り付けられた構成のラベル用紙１０が巻き取られたものである。また、各ラベルの先頭部分には所定の情報が担持されたＲＦＩＤタグが埋め込まれた構成となっている。なお、ベース板４を連続用紙の一つであるファンフォールド紙のトレイとして利用することも可能である。この場合には、給紙装置３を、ロール紙７およびファンフォールド紙の双方の給紙装置として用いることができる。
【００２１】
（プリンター）
図２は媒体ガイド機構を備えたプリンター３を示す斜視図であり、図３はカバーを開けた状態のプリンター３を示す斜視図である。また、図４はカバーを開けた状態のプリンター３の内部機構を示す斜視図である。図２〜図４を参照して説明すると、プリンター３は、全体として前後に長い直方体形状をしたプリンター本体ケース１１を備えている。プリンター本体ケース１１の上面１２（外側表面）は、一定幅の平坦な前側上面部分１２ａと、プリンター左側の端に沿って前側上面部分１２ａから後端まで延びている一定幅の平坦な左側上面部分１２ｂと、前側上面部分２１ａの後端縁から後方に向かって下方に湾曲して延びている傾斜上面部分１２ｃとを備えている。図３から分かるように、この傾斜上面部分１２ｃと左側上面部分１２ｂによって囲まれる部分が上面開口部１３となっている。また、プリンター本体ケース１１の右側の側面１４には、上面開口部１３に繋がる側面開口部１５が形成されている。
【００２２】
これら上面開口部１３および側面開口部１５は、開閉式のカバー１６によって封鎖されている。開閉カバー１６は、上面開口部１３を封鎖しているカバー天板部分１７と、側面開口部１５を封鎖しているカバー側板部分１８とを備えており、カバー天板部分１７におけるプリンター前側の端部を中心として開閉可能となっている。カバー１６を開くと、図３、図４に示すように、プリンター本体ケース１１の内部に形成されている用紙搬送路１９および、当該用紙搬送路１９の上側に形成されている用紙溜まり部２０が開放状態となり、これらに対して、プリンター上側およびプリンター右側からアクセス可能になる。
【００２３】
用紙搬送路１９の幅方向の一方の側端（プリンター右側の側端）は、カバー１６のカバー側板部分１８の内側に形成されている第１用紙ガイド２１によって規定されている（図３、図７参照）。幅方向の他方の側端は、用紙搬送路１９の底面を規定している底板２４に着脱可能に取り付けた第２用紙ガイド２２および第３用紙ガイド２３のいずれかによって規定される。第２用紙ガイド２２が取り付けられている場合には、第１用紙ガイド２１および第２用紙ガイド２２によって規定される幅のラベル用紙１０などの記録媒体をガイド可能であり、第２用紙ガイド２２を外すと、第１用紙ガイド２１および第３用紙ガイド２３によって規定される広幅のラベル用紙１０などの記録媒体をガイド可能になる。
【００２４】
開閉式のカバー１６は、そのプリンター前端側の部位を中心として、図２に示す閉じ位置１６Ａから図３に示す全開位置１６Ｂまで開くことができる。例えば、１６０度程度の開き角度で開閉可能である。カバー１６におけるプリンター後端の右側の角には操作レバー２５が取り付けられており、操作レバー２５を操作することによりカバー１６のロック（図示せず）が解除され、カバー１６を開けることが可能となっている。
【００２５】
プリンター本体ケース１１の後端面１１ａと、カバー１６の開閉側の端部との間には、図２、図３から分かるように、用紙挿入口２６が形成されている。用紙挿入口２６の内側には、プリンター本体ケース１１の側に下側ガイドローラー２７ａ（上流側ガイドローラー）が取り付けられており、カバー１６の側には、これに対峙する状態で上側ガイドローラー２７ｂ（上流側ガイドローラー）が取り付けられている。プリンター本体ケース１１の前端面１１ｂには、図１から分かるように、その上下方向の中程の位置に用紙排出口２８が形成されている。
【００２６】
図５はプリンター３の内部機構を示す説明図であり、図６はカバー１６を全開にした状態におけるプリンター３の内部機構を示す説明図である。プリンター３の内部機構は、プリンター本体ケース１１によって覆われている板金製の本体フレーム３０にプリンター構成部品が搭載された構成となっている。本体フレーム３０には上方に突出した左右の支持腕３１が形成されており、これらの支持腕３１の間にカバー開閉中心を規定しているヒンジ軸３２が架け渡されている。ヒンジ軸３２を介して本体フレーム３０に取り付けられているカバー１６は、プラスチック製のカバーケース３３と、このカバーケース３３によって覆われている板金製のカバーフレーム３４とを備えている。カバー１６は、ヒンジ軸３２に取り付けた捩りバネ３５によって開き方向に付勢されている。
【００２７】
プリンター内部においては、用紙溜まり部２０の前側の部位において、用紙挿入口２６よりも下方の位置にテンションローラー３６が幅方向に架け渡されている。テンションローラー３６の前方には、上方に僅かに傾斜している上下の用紙ガイド３７、３８によって規定される傾斜搬送路３９が形成されている。傾斜搬送路３９の前側には、前方に水平に延びる水平搬送路４０が形成されており、水平搬送路４０の前端が用紙排出口２８に繋がっている。傾斜搬送路３９と水平搬送路４０の間には、上側にサーマルヘッド４１が下向きに配置されており、下側からは、サーマルヘッド４１の発熱面に押し付けられるプラテンローラー４２が配置されている。また、水平搬送路４０における用紙排出口２８の近傍位置には、オートカッター４３が配置されており、ラベル用紙１０などの連続紙を幅方向に切断できるようになっている。
【００２８】
ここで、上側ガイドローラー２７ｂ、テンションローラー３６はカバーフレーム３４の側に搭載されている。また、カバーフレーム３４の側に、ＲＦＩＤタグ読取用のアンテナ４４および受信回路４５が搭載されており、ＲＦＩＤタグ付きのラベル用紙１０の印刷時には、ＲＦＩＤタグとの間で無線通信を行って、担持情報の読取、それに基づく印刷制御処理を行うことが可能となっている。また、プリンター３の前端側の部位においては、サーマルヘッド４１が搭載されている上側ユニット４６と、プラテンローラー４２が搭載されている下側ユニット４７とは、一方の側が上下に開閉可能になっており、これらの間の搬送路を開放してラベル用紙１０などの連続紙を、これらの間にセットできるようになっている。
【００２９】
図１、図５に示すように、給紙装置２から供給される記録紙、例えばラベル用紙１０は、用紙挿入口２６から挿入され、上側ガイドローラー２７ｂおよび下側ガイドローラー２７ａの間から、用紙溜まり部２０の底面を規定している用紙搬送路１９を通って用紙排出口２８から引き出される状態にセットされる。すなわち、用紙挿入口２６から挿入されたラベル用紙１０は、上下のガイドローラー２７ｂ、２７ａによって前方に向かって下側に傾斜する方向にガイドされ、用紙搬送路１９の第１媒体ガイド２１と第２あるいは第３媒体ガイド２２、２３との間をガイドされ、下側に位置しているテンションローラー３６に下側から架け渡された後に、傾斜搬送路３９に沿ってサーマルヘッド４１とプラテンローラー４２の間、および水平搬送路４０を通って用紙排出口２８から引き出された状態にセットされる。このようにセットされたラベル用紙１０にサーマルヘッド４１により印刷が行われる。
【００３０】
ラベル用紙１０の先頭部分における印刷開始位置をサーマルヘッド４１の印刷位置に位置決めするための頭出しなどの動作においては、ラベル用紙１０を逆送りする場合がある。この場合にはラベル用紙１０におけるテンションローラー３６と、上下のガイドローラー２７ａ、２７ｂの間の部分において、ラベル用紙１０に大きな弛み部分が生ずる。この部分は用紙溜まり部２０となっており、ラベル用紙１０の弛み部分を溜めることができる。
【００３１】
（媒体ガイド機構）
次に、図７は用紙搬送路１９および用紙溜まり部２０の横断面を示す模式図である。図３〜図７を参照して、プリンター本体ケース１１と、この上面開口部１３および側面開口部１５を封鎖しているカバー１６とによって覆われている用紙搬送路１９および用紙溜まり部２０が配置されている部分（媒体ガイド機構）について詳細に説明する。
【００３２】
まず、用紙溜まり部２０の底を規定している用紙搬送路１９は、その底面を規定している底板２４を備えている。底板２４には、その右側の縁端に上方に僅かに突出したガイド板部分２４ａが形成されている。カバー１６の側板部分１８の内側面には、図７に示すように、第１用紙ガイド２１が取り付けられており、カバー１６を閉じた状態においては、第１用紙ガイド２１の内側面とガイド板部分２４ａの内側面とが同一平面上に位置するようになっている。これらの内側面が用紙搬送路１９の一方の側端を規定するガイド面２１ａである。
【００３３】
第２用紙ガイド２２は、底板２４に対して、ねじ止めなどによって垂直に取り付けられる。第２用紙ガイド２２は、用紙搬送路１９の底板２４に取り付けた下側ガイド板５１と上側ガイド板５２から構成されている。上側ガイド板５２は、全体として扇形の形状をしており、その中心側の端部５２ａが支軸５３を介して上下方向に回動可能な状態で下側ガイド板５１に取り付けられている。支軸５３を中心として、上側ガイド板５２は不図示のバネ部材によって上方に跳ね上がる方向に付勢されている跳ね上げ式のガイド板である。
【００３４】
下側ガイド板５１には円弧状のガイド溝５１ａが形成されており、上側ガイド板５２の側には、当該ガイド溝５１ａに嵌った状態でガイド溝５１ａをスライド可能な円弧状のスライド突起５２ｂが形成されており、上側ガイド板５２は下側ガイド板５１の側面に沿って上下に回動するようになっている。また、下側ガイド板５１および上側ガイド板５２における第１用紙ガイド２１に面する側の側面は、同一垂直面上に位置している用紙ガイド面５１ｂ、５２ｃとなっている。
【００３５】
図５から分かるように、カバー１６が閉じた状態では、カバー１６によって上側ガイド板５２が下側ガイド板５１の側に押し下げられている。図４、図６に示すように、カバー１６が開くと、上側ガイド板５２はバネ力によって跳ね上がった状態になり、これらによって規定される用紙ガイド面５１ｂ、５２ｃの高さ寸法が増加する。
【００３６】
次に、用紙搬送路１９における左側の隅には、第３用紙ガイド２３が配置されている。第３用紙ガイド２３は全体として台形状の板であり、その内側面が用紙ガイド面２３ａとなっている。第２用紙ガイド２２を取り外した状態では、第１用紙ガイド２１の用紙ガイド面２１ａと第３用紙ガイド２３の用紙ガイド面２３ａとによって用紙搬送路１９の幅が広い幅Ｗ１に規定される。第２用紙ガイド２２を取り付けた状態では、第１用紙ガイド２１の用紙ガイド面２１ａと第２用紙ガイド２２の用紙ガイド面５１ｂ、５２ｃとによって用紙搬送路１９の幅が狭い幅Ｗ２に規定される。
【００３７】
（用紙ガイド機構の作用効果）
このように、プリンター３においては、開閉式のカバー１６を開けると、プリンター本体ケース１１の内部に形成されている用紙搬送路１９および用紙溜まり部２０の上側および右側が開放状態になる。すなわち、用紙搬送路１９の幅方向の一方の側端が、開閉式のカバー１６の側板部分１８に取り付けた第１用紙ガイド２１によって規定されているので、カバー１６を開けると、用紙搬送路１９および用紙溜まり部２０の側方が開放状態になる。したがって、ラベル用紙１０を用紙挿入口２６の側から用紙搬送路１９に沿って前方の傾斜搬送路３９に向けて配置する用紙セット作業、用紙搬送路１９などに詰まったラベル用紙１０の除去作業などを、上方および側方のいずれからも行うことができるので、作業性が大幅に改善される。
【００３８】
また、上方に開放した状態の用紙搬送路１９にラベル用紙１０をセットする場合には、用紙搬送路１９の上方への規制がない。したがって、ラベル用紙１０余長、弛みが多い場合などにおいては、ラベル用紙１０の余長部分を用紙溜まり部２０に溜めた状態でラベル用紙１０をセットするので、ラベル用紙１０には用紙搬送路１９から上方に大きく浮き上がった部分ができやすい。このような部分が第２媒体ガイド２２から上方に外れてしまうと、ラベル用紙１０のセット作業に手間取ることがある。また、ラベル用紙１０が第２媒体ガイド２２から上方に外れた状態でカバー１６を閉じてラベル用紙１０の搬送が行われると、ラベル用紙１０に蛇行などが発生しやすい。
【００３９】
本例では、第２用紙ガイド２２は、カバー１６を開けると上方に跳ね上がる上側ガイド板５２を備えており、カバー１６を開けると第２用紙ガイド２２の用紙ガイド面５１ｂ、５２ｃが上方に広がる。したがって、用紙搬送路１９の上方が開放した状態においてのラベル用紙１０のセット作業などが容易になる。また、カバー１６を閉じた状態においては、第２用紙ガイド２２は、底板２４からカバー１６の下面に至る高さ寸法となっているので、弛みのある状態で配置されているラベル用紙１０が第２用紙ガイド２２から外れることがない。よって、ラベル用紙１０は第１、第２用紙ガイド２１、２２によって両側端がガイドされるので、蛇行などが発生しない。
【００４０】
さらに、本例では、第２用紙ガイド２２が着脱可能に底板２４に取り付けられており、これを取り外すと、第１、第３用紙ガイド２１、２３によって、広い幅のラベル用紙１０をガイドすることができる。したがって、幅の異なるラベル用紙１０を、第２用紙ガイド２２の着脱によって切り替えることができるので便利である。
【００４１】
（その他の実施の形態）
上記の実施の形態は本発明をプリンターの用紙ガイド機構に適用した例であるが、本発明は、記録媒体を取り扱う各種の媒体処理装置に適用可能である。例えば、小切手の磁気文字を読取、仕分けを行う小切手処理装置における小切手ガイド機構に適用可能である。
【００４２】
また、上記の実施の形態では、カバー１６を開けて用紙搬送路１９の上方および側方を開放状態に切り替えている。カバーを開けて側方のみを開放状態に切り替えるように構成されている場合においても、当該カバーに第１用紙ガイドを配置しておくことにより、用紙搬送路１９の側方を開放状態にできるので、ラベル用紙などの記録媒体のセット作業等が容易になるという作用効果が得られる。
【００４３】
さらに、上記の実施の形態では、跳ね上げ式の第２用紙ガイド２２を用いているが、第３媒体ガイド２３と同様な一枚の板からなるガイドを用いることもできる。用紙溜まり部２０が無い場合、記録媒体が搬送路から上方に浮き上がるおそれが無い場合などにおいては、そのようなガイドを用いることができる。
【符号の説明】
【００４４】
１  プリンターシステム、２  給紙装置、３  プリンター、４  ベース板、５  垂直支持板、６  ロール紙支軸、７  ロール紙、８  抜け防止軸、９  スペーサー、１０  ラベル用紙、１１  プリンター本体ケース、１１ａ  後端面、１１ｂ  前端面、１２  上面、１２ａ  前側上面部分、１２ｂ  左側上面部分、１２ｃ  傾斜上面部分、１３  上面開口部、１３ａ  開口縁部、１４  側面、１５  側面開口部、１６  カバー、１７  カバー天板部分、１８  カバー側板部分、１９  用紙搬送路、２０  用紙溜まり部、２１  第１用紙ガイド、２１ａ  ガイド面、２２  第２用紙ガイド、２３  第３用紙ガイド、２３ａ  ガイド面、２４  底板、２４ａ  ガイド板部分、２５  操作レバー、２６  用紙挿入口、２７ａ  下側ガイドローラー、２７ｂ  上側ガイドローラー、２８  用紙排出口、３０  本体フレーム、３１  支持腕、３２  ヒンジ軸、３３  カバーケース、３４  カバーフレーム、３５  捩りバネ、３６  テンションローラー、３７，３８  用紙ガイド、３９  傾斜搬送路、４０  水平搬送路、４１  サーマルヘッド、４２  プラテンローラー、４３  オートカッター、４４  アンテナ、４５  受信回路、４６  上側ユニット、４７  下側ユニット、５１  下側ガイド板、５１ａ  ガイド溝、５１ｂ  ガイド面、５２  上側ガイド板、５２ａ  端部、５２ｂ  スライド突起、５２ｃ  ガイド面、５３  支軸、Ｗ１，Ｗ２  幅
【図１】
2011195203.tif 000003
【図２】
2011195203.tif 000004
【図３】
2011195203.tif 000005
【図４】
2011195203.tif 000006
【図５】
2011195203.tif 000007
【図６】
2011195203.tif 000008
【図７】
2011195203.tif 000009